(57)【要約】【課題】装飾シートの剥がれが起こりにくい組立品を提供する。【解決手段】組立品２の製造方法は、シート接着工程と、ユニット接着工程と、マグネット貼り合わせ工程と、を備える。ユニット接着工程では、奥側ユニット１４の上に中間ユニット１３を載置し、さらに、中間ユニット１３の上に手間側ユニット１２を載置する。意匠ユニット１０における装飾シートの露呈面、及び側面に接着剤を塗布する。これにより、装飾シートの露呈面、隙間１２Ｇ〜１４Ｇや隙間２ＧＡ〜２ＧＢが接着剤で覆われる。接着剤の塗布方法は、スプレー塗布や浸漬塗布など公知の方法を用いることができる。【選択図】図１
2019043026.tif 000002
【特許請求の範囲】
【請求項１】
ベース部材の上に装飾シートを載置する載置工程と、
接着材を用いて、前記ベース部材に対し前記装飾シートを固定する接着工程と、を備え、
前記接着工程では、前記ベース部材及び前記装飾シートの隙間を覆うように、接着剤の塗布を行なうことを特徴とする組立品の製造方法。
【請求項２】
前記接着工程では、前記ベース部材及び前記装飾シートの隙間から前記装飾シートの意匠面までを覆うように、接着剤の塗布を行なうことを特徴とする請求項１記載の組立品の製造方法。
【請求項３】
前記装飾シートは、紙製またはアルミ製であることを特徴とする請求項１または２記載の組立品の製造方法。
【請求項４】
ベース部材と、
前記ベース部材の上に配される装飾シートと、
前記ベース部材に対し前記装飾シートを固定する接着材と、を備え、
前記接着材は、前記ベース部材及び前記装飾シートの隙間を覆っていることを特徴とする組立品。
【請求項５】
前記接着材は、前記装飾シートの隙間から、前記装飾シートの意匠面までを覆っていることを特徴とする請求項３記載の組立品。
【請求項６】
前記装飾シートは、紙製またはアルミ製であることを特徴とする請求項４または５記載の組立品。
【発明の詳細な説明】
【技術分野】
【０００１】
本発明は、組立品及びその製造方法に関する。
【背景技術】
【０００２】
接着剤によりベース板と装飾シートを貼り合わせてなる木製マグネットが知られている（例えば、非特許文献１）。
このような組立品は、装飾シートの図案を変更することにより多種多様の製品を作り出すことができる。
【先行技術文献】
【非特許文献】
【０００３】
【非特許文献１】有限会社ノーブルクリエーション、２０１７年ＯＥＭカタログ、６Ｐ、［ｏｎｌｉｎｅ］、［平成２９年８月１７日検索］、インターネット（URL:https://www.kamap.jp/kamap/kamapimg/noble/17_oem.pdf）
【発明の概要】
【発明が解決しようとする課題】
【０００４】
ところが、接着剤の量が不足すると、組立中または組立後に、装飾シートがベース板から剥がれしまう場合や、装飾シートが傷ついてしまう場合がある。
【０００５】
本発明は、かかる実情に鑑み、組立品及びその製造方法を提供しようとするものである。
【課題を解決するための手段】
【０００６】
本発明は、ベース部材の上に装飾シートを載置する載置工程と、接着材を用いて、前記ベース部材に対し前記装飾シートを固定する接着工程と、を備え、前記接着工程では、前記ベース部材及び前記装飾シートの隙間を覆うように、接着剤の塗布を行なうことを特徴とする組立品の製造方法である。
【０００７】
また、本発明は、ベース部材と、前記ベース部材の上に配される装飾シートと、前記ベース部材に対し前記装飾シートを固定する接着材と、を備え、前記接着材は、前記ベース部材及び前記装飾シートの隙間を覆っていることを特徴とする組立品である。
【発明の効果】
【０００８】
本発明によれば、装飾シートの剥がれや傷付きが起こりにくい組立品及びその製造方法を提供することができる。
【図面の簡単な説明】
【０００９】
【図１】組立品の概要を示す分解斜視図である。
【図２】意匠ユニットの概要を示す分解斜視図である。
【図３】手前側ユニット、中間ユニット及び奥側ユニットの概要を示す分解斜視図である。
【発明を実施するための形態】
【００１０】
図１に示すように、組立品２は、意匠ユニット１０と、意匠ユニット１０の裏面に取り付けられたマグネット２０と、を備える。意匠ユニット１０の裏面にマグネット２０が取り付けられているため、鉄製等の部材に意匠ユニット１０を取り付けることができる。
【００１１】
図１〜２に示すように、意匠ユニット１０は、手前側の意匠が施された手前側ユニット１２と、奥側の意匠が施された奥側ユニット１４と、中間の意匠が施された中間ユニット１３と、を備える。
【００１２】
図２〜３に示すように、手前側ユニット１２は、手前側装飾シート１２Ａと、手前側ベース板１２Ｂとを、備える。中間ユニット１３は、中間装飾シート１３Ａと、中間ベース板１３Ｂとを、備える。奥側ユニット１４は、奥側装飾シート１４Ａと、奥側ベース板１４Ｂとを、備える。
【００１３】
奥側ベース板１４Ｂは、四角形に形成される。なお、奥側ベース板１４Ｂは、円形、楕円形、三角形、五角形やその他多角形等に形成されてもよい。奥側装飾シート１４Ａは、奥側ベース板１４Ｂとほぼ同じ寸法の形状に形成される。奥側装飾シート１４Ａの意匠面には、枠を表す枠図案１４ＡＦと、背景を表す背景図案１４ＡＢと、主となる対象を表すメイン図案１４ＡＴとが含まれる。
【００１４】
中間ベース板１３Ｂは、奥側装飾シート１４Ａに応じた形状に形成される。例えば、中間ベース板１３Ｂは、奥側装飾シート１４Ａの枠図案１４ＡＦとメイン図案１４ＡＴとの輪郭線とほぼ同一の形状を有する。中間装飾シート１３Ａの意匠面には、枠を表す枠図案１３ＡＦと、メイン図案１３ＡＴとが含まれる。枠図案１３ＡＦは枠図案１４ＡＦと同一の図案であり、メイン図案１３ＡＴは、メイン図案１４ＡＴと同一の図案である。
【００１５】
手前側ベース板１２Ｂは、中間装飾シート１３Ａに応じた形状に形成される。例えば、手前側ベース板１２Ｂは、中間装飾シート１３Ａのメイン図案１３ＡＴの輪郭線ほぼ同一の形状を有する。手前側装飾シート１２Ａの意匠面には、枠図案１２ＡＦが含まれる。枠図案１２ＡＦは枠図案１３ＡＦと同一の図案である。
【００１６】
各ベース板の材料としては、木製、プラスチックや金属などいずれでもよい。透明のものでもよいし、不透明のものでもよい。各装飾シートの材料としては、紙や金属（例えば、アルミホイル）等を用いることができる。
【００１７】
各ユニット１２〜１４において、装飾シートとベース板は互いに接着剤で貼り合わされている。接着剤は、各装飾シートと各ベース板との隙間１２Ｇ〜１４Ｇを覆うことが好ましい。また、接着剤は、各ユニット同士の隙間２ＧＡ〜２ＧＢを覆うことが好ましい。これにより、装飾シートの剥がれを抑えることができる。
【００１８】
特に、中間ベース板１３Ｂや手前側ベース板１２Ｂは、自身よりも奥に位置する図案の輪郭線に沿った形状を有するため、四角形の奥側ベース板１４Ｂに比べ、その輪郭線は複雑なものとなる。結果、輪郭線のうち鋭角に尖っている部分や、凹んでいる部分においては、装飾シートの剥がれが起こりやすくなるが、本発明によれば、装飾シートの剥がれを抑えることができる。
【００１９】
接着剤の材料としては、公知の接着剤であればよく、硬化後に所望の透光性を有するものであればよい。例えば、アクリル系接着剤やエポキシ系接着剤等を用いることができる。また、接着剤は、無色透明であることがより好ましい。
【００２０】
さらに、接着剤は、各装飾シートの露呈面を覆うことが好ましい。意匠ユニット１０（図１）における装飾シートの露呈面とは、枠図案１２ＡＦと、メイン図案１３ＡＴと背景図案１４ＡＢとを含む。これにより、各装飾シートの破れ、カスリ傷やコスリ傷を防ぐとともに、意匠ユニット１０に光沢を付与することができる。また、隙間及び露呈面にかけて接着剤を覆うことで、隙間が接着剤で確実に覆われることとなる。結果、剥がれや傷の問題を確実に抑えつつ、生産コストを抑えることが可能となる。
【００２１】
なお、隙間及び露呈面にかけて接着剤を覆うとしたが、接着剤は、シートとベース板との隙間、各ユニットの隙間や窪みを埋める程度に覆っていることが好ましい。剥がれや傷の問題を確実に抑えるためには、組立品２の構成部品（各シート、各ベース板、各ユニット等）の面よりも盛り上がっていることがより好ましい。
【００２２】
次に、組立品２の製造方法について説明する。組立品２の製造方法は、シート接着工程と、ユニット接着工程と、マグネット貼り合わせ工程と、を備える。
【００２３】
シート接着工程では、手前側ベース板１２Ｂの表面に接着剤を塗布し、手前側装飾シート１２Ａと手前側ベース板１２Ｂとを貼り合わせて手前側ユニット１２をつくる。同様にして、中間ベース板１３Ｂの表面に接着剤を塗布し、中間装飾シート１３Ａと中間ベース板１３Ｂとを貼り合わせて中間ユニット１３をつくる。奥側ベース板１４Ｂの表面に接着剤を塗布し、奥側装飾シート１４Ａと奥側ベース板１４Ｂとを貼り合わせて奥側ユニット１４をつくる。
【００２４】
ユニット接着工程では、奥側ユニット１４の上に中間ユニット１３を載置し、さらに、中間ユニット１３の上に手間側ユニット１２を載置する。次に、意匠ユニット１０（図１）における装飾シートの露呈面、及び側面に接着剤を塗布する。これにより、装飾シートの露呈面、隙間１２Ｇ〜１４Ｇや隙間２ＧＡ〜２ＧＢが接着剤で覆われる。これにより、装飾シートの剥がれや傷付きを抑えることができる。さらに、意匠ユニット１０に光沢を付与することができる。
【００２５】
マグネット貼り合わせ工程では、意匠ユニット１０の裏面（奥側ユニット１４の裏面にマグネット２０）を貼り合わせる。
【００２６】
シート接着工程とユニット接着工程における接着剤の塗布方法は、スプレー塗布や浸漬塗布など公知の方法を用いることができる。
【００２７】
尚、本発明は、上記した実施の形態に限定されるものではなく、本発明の要旨を逸脱しない範囲内において種々変更を加え得ることは勿論である。
【符号の説明】
【００２８】
２     組立品
１０   意匠ユニット 
２０   マグネット
【図１】
2019043026.tif 000003
【図２】
2019043026.tif 000004
【図３】
2019043026.tif 000005
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
マグネットと、
前記マグネットの上面に固定された第１ベース部材と、
前記第１ベース部材の上面において接着剤により固定された第１装飾シートと、
前記第１装飾シートの上面において載置された第２ベース部材と、
前記第２ベース部材の上面において前記接着剤により固定された第２装飾シートと、
前記第２装飾シートの上面から、前記第２ベース部材の側面を介して前記第１装飾シートの上面に掛けてこれらを覆うように形成されたコーティング層と、を備えた組立品であって、
前記第１ベース部材及び前記第２ベース部材は木製であり、
前記第１装飾シート及び前記第２装飾シートは紙製であり、
前記第１装飾シートには第１図案と第２図案とが描かれ、
前記第２ベース部材は、自身の輪郭が前記第１装飾シートの前記第２図案の輪郭と一致するように前記第１装飾シートにおいて載置され、
前記第２装飾シートには前記第２図案が描かれ、
前記第２装飾シートは、自身の輪郭が前記第２ベース部材の輪郭と一致するように前記第２ベース部材に固定され、
前記第１装飾シートの前記第２図案、前記第２ベース部材及び第２装飾シートの輪郭は鋭角に尖っている部分又は凹んでいる部分を有し、 
前記コーティング層は前記接着剤からなり、前記第１装飾シートの上面において前記第２ベース部材を固定することを特徴とする組立品。
【手続補正３】
【補正対象書類名】明細書
【補正対象項目名】０００１
【補正方法】変更
【補正の内容】
【０００１】
本発明は、組立品に関する。
【手続補正４】
【補正対象書類名】明細書
【補正対象項目名】０００５
【補正方法】変更
【補正の内容】
【０００５】
本発明は、かかる実情に鑑み、組立品を提供しようとするものである。
【手続補正５】
【補正対象書類名】明細書
【補正対象項目名】０００６
【補正方法】変更
【補正の内容】
【０００６】
本発明は、マグネットと、前記マグネットの上面に固定された第１ベース部材と、前記第１ベース部材の上面において接着剤により固定された第１装飾シートと、前記第１装飾シートの上面において載置された第２ベース部材と、前記第２ベース部材の上面において前記接着剤により固定された第２装飾シートと、前記第２装飾シートの上面から、前記第２ベース部材の側面を介して前記第１装飾シートの上面に掛けてこれらを覆うように形成されたコーティング層と、を備えた組立品であって、前記第１ベース部材及び前記第２ベース部材は木製であり、前記第１装飾シート及び前記第２装飾シートは紙製であり、前記第１装飾シートには第１図案と第２図案とが描かれ、前記第２ベース部材は、自身の輪郭が前記第１装飾シートの前記第２図案の輪郭と一致するように前記第１装飾シートにおいて載置され、前記第２装飾シートには前記第２図案が描かれ、前記第２装飾シートは、自身の輪郭が前記第２ベース部材の輪郭と一致するように前記第２ベース部材に固定され、前記第１装飾シートの前記第２図案、前記第２ベース部材及び第２装飾シートの輪郭は鋭角に尖っている部分又は凹んでいる部分を有し、前記コーティング層は前記接着剤からなり、前記第１装飾シートの上面において前記第２ベース部材を固定することを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明によれば、装飾シートの剥がれや傷付きが起こりにくい組立品を提供することができる。